(57)【特許請求の範囲】
【請求項１】
薬液を収容する容器本体と、該容器本体の口部に組み込むポンプと、上部の上向きの受液部、下部のスカート部を有する受液ボウルとを備えてなり、前記受液部は、上向きの噴射ノズルを底部に形成するとともに下向きのソケット部を下面に形成し、前記受液ボウルは、前記ポンプの吐出部を形成する操作ロッドに前記ソケット部を連結し、前記ソケット部を介して前記噴射ノズルのノズル孔を前記吐出部に連通させることにより前記容器本体に組み合わせ、前記容器本体、受液ボウルの一方を他方に対して相対的に往復移動させて前記操作ロッドを軸方向に往復駆動すると、前記操作ロッドの往復駆動ごとに前記ポンプからの薬液を所定量ずつ前記噴射ノズルから上向きに噴射させて洗眼することができ、前記受液ボウルは、洗眼後の薬液を前記受液部に貯留することを特徴とする洗眼容器。
【請求項２】
前記受液ボウルは、前記操作ロッドに分離可能に連結し、前記容器本体、受液ボウルの間には、前記容器本体、受液ボウルの相対移動を防止して前記ポンプの作動を阻止するストッパを着脱可能に介装することを特徴とする請求項１記載の洗眼容器。
【請求項３】
前記受液部の上縁は、眼を前記噴射ノズルに対向させると全周が顔面に密着するように形成することを特徴とする請求項１または請求項２記載の洗眼容器。
【請求項４】
前記スカート部は、前記容器本体の外径に適合し、前記容器本体の上部を外側からカバーすることを特徴とする請求項１ないし請求項３のいずれか記載の洗眼容器。
【請求項５】
前記スカート部には、リブ状の滑り止めを外周の周方向に形成することを特徴とする請求項４記載の洗眼容器。
【請求項６】
前記容器本体には、リブ状の滑り止めを周方向に形成することを特徴とする請求項１ないし請求項５のいずれか記載の洗眼容器。
【発明の詳細な説明】
【０００１】
【発明の属する技術分野】
この発明は、薬液を眼に噴射し、良好な洗眼効果を得ることができる洗眼容器に関する。
【０００２】
【従来の技術】
薬液に眼を浸すようにして洗眼する洗眼容器が知られている。
【０００３】
このものは、薬液を収容する容器本体と、容器本体と別体の洗眼ボウルとを組み合わせて構成されている。そこで、このものは、容器本体から所定量の薬液を洗眼ボウルに注ぎ、眼を洗眼ボウルに当てるようにして顔を伏せ、次いで顔を上向きにして薬液を眼に接触させ、薬液に眼を浸すようにして洗眼することができる。
【０００４】
【発明が解決しようとする課題】
かかる従来技術によるときは、洗眼ボウル内の薬液は、洗眼によって汚染され、汚染された薬液によってさらに洗眼を続けることになるので、良好な洗眼効果を得ることが困難であるという問題があった。
【０００５】
そこで、この発明の目的は、かかる従来技術の問題に鑑み、容器本体と、ポンプと、受液ボウルとを組み合わせることによって、常に清潔な薬液によって洗眼することができ、洗眼効果を大きく向上させることができる洗眼容器を提供することにある。
【０００６】
【課題を解決するための手段】
かかる目的を達成するためのこの発明の構成は、薬液を収容する容器本体と、容器本体の口部に組み込むポンプと、上部の上向きの受液部、下部のスカート部を有する受液ボウルとを備えてなり、受液部は、上向きの噴射ノズルを底部に形成するとともに下向きのソケット部を下面に形成し、受液ボウルは、ポンプの吐出部を形成する操作ロッドにソケット部を連結し、ソケット部を介して噴射ノズルのノズル孔を吐出部に連通させることにより容器本体に組み合わせ、容器本体、受液ボウルの一方を他方に対して相対的に往復移動させて操作ロッドを軸方向に往復駆動すると、操作ロッドの往復駆動ごとにポンプからの薬液を所定量ずつ噴射ノズルから上向きに噴射させて洗眼することができ、受液ボウルは、洗眼後の薬液を受液部に貯留することをその要旨とする。
【０００７】
なお、受液ボウルは、操作ロッドに分離可能に連結し、容器本体、受液ボウルの間には、容器本体、受液ボウルの相対移動を防止してポンプの作動を阻止するストッパを着脱可能に介装することができ、受液部の上縁は、眼を噴射ノズルに対向させると全周が顔面に密着するように形成することができる。
【０００８】
また、スカート部は、容器本体の外径に適合し、容器本体の上部を外側からカバーしてもよく、スカート部には、リブ状の滑り止めを外周の周方向に形成してもよい。
【０００９】
さらに、容器本体には、リブ状の滑り止めを周方向に形成してもよい。
【００１０】
【作用】
かかる発明の構成によるときは、受液ボウルは、ポンプの操作ロッドに連結することにより、噴射ノズルを介してポンプからの薬液を噴射させるとともに、洗眼後の薬液を貯留することができる。すなわち、使用者は、眼を噴射ノズルに対応させ、容器本体、受液ボウルの一方を他方に対して相対的に往復移動させて操作ロッドを軸方向に往復駆動することにより、ポンプを作動させて噴射ノズルからの薬液を眼に噴射して洗眼することができ、洗眼後の薬液を再び洗眼に使用してしまうことがない。なお、ポンプは、操作ロッドの１回の往復駆動ごとに容器本体内の薬液を所定量だけ吸引し、操作ロッドに形成する吐出部を介して噴射ノズルから噴射させることができる。
【００１１】
容器本体、受液ボウルの間にストッパを介装するときは、ストッパは、容器本体、受液ボウルの相対移動を防止してポンプの作動を阻止することができ、輸送時、携帯時等において、噴射ノズルから薬液が不用意に噴射してしまう事故を防止することができる。なお、ストッパは、容器本体、受液ボウルの間から取り外すことにより、ポンプを作動可能に解放する。
【００１２】
受液ボウルは、操作ロッドに分離可能に連結することにより、輸送時等において操作ロッドから分離させ、操作ロッドに過大な力がかかることを防止することができる。また、このときの受液ボウルは、容器本体から簡単に取り外して洗浄することができる。
【００１３】
受液ボウルにスカート部を形成するときは、スカート部は、容器本体の上部をカバーして保護することができ、使用者は、容器本体、受液ボウルを相対移動させる際にスカート部を把持し、良好な使い勝手を得ることができる。
【００１４】
スカート部に滑り止めを形成するときは、使用者は、滑り止めを介してスカート部を確実に把持し、ポンプを容易に駆動操作することができる。
【００１５】
容器本体に滑り止めを設ければ、使用者は、滑り止めを介して容器本体を把持することができ、一層容易にポンプを駆動操作することができる。
【００１６】
【発明の実施の形態】
以下、図面を以って発明の実施の形態を説明する。
【００１７】
洗眼容器は、薬液Ｗを収容する容器本体１０と、容器本体１０の口部１２に組み込むポンプ２１と、容器本体１０に組み合わせる受液ボウル３０とを備えてなる（図１、図２）。
【００１８】
容器本体１０は、耐薬品性の合成樹脂材料により一体成形されている。容器本体１０は、ドーム状の肩部１１を介して小径の口部１２が上部に形成されている。口部１２の外面には、雄ねじ１２ａが形成されている。
【００１９】
ポンプ２１は、補助キャップ２２を介して容器本体１０の口部１２に組み込まれている。ポンプ２１は、外フランジ２１ａが上部に形成されており、容器本体１０の底部に開口する薬液パイプ２１ｂが下部に接続されている。なお、外フランジ２１ａの下面には、口部１２の先端に適合するパッキン２１ａ1 が付設されている。ポンプ２１には、補助キャップ２２を下から上に貫通する操作ロッド２１ｃが組み込まれており、操作ロッド２１ｃには、ポンプ２１の吐出部２１ｄが形成されている。なお、操作ロッド２１ｃは、軸方向に往復駆動してポンプ２１を作動せせ、ポンプ２１内の図示しないばねを介して上方に付勢されている。
【００２０】
補助キャップ２２は、口部１２の雄ねじ１２ａに適合する雌ねじ２２ａが形成されており、外径Ｄ1 の上向きの筒部２２ｂが上面に形成されている（図２、図３）。なお、筒部２２ｂの上部は、外側に向けて斜めに形成されている。そこで、補助キャップ２２は、雌ねじ２２ａを雄ねじ１２ａに螺合させることにより、外フランジ２１ａ、パッキン２１ａ1 を介してポンプ２１を口部１２に組み込むとともに、口部１２を水密に封止することができる。
【００２１】
容器本体１０、受液ボウル３０の間には、円筒状のストッパ４１が着脱自在に介装されている。ただし、図２、図３の左半部は、ストッパ４１の装着時の状態を示し、右半部は、ストッパ４１の取外し時の状態を示している。ストッパ４１は、外径Ｄ2a＞Ｄ1 に形成されており、複数の縦リブ４１ａ、４１ａ…が内面に形成されている。なお、ストッパ４１は、縦リブ４１ａ、４１ａ…によって形成する内径Ｄ2b≒Ｄ1 に設定されている。そこで、ストッパ４１は、筒部２２ｂに被せるようにして補助キャップ２２の上部に着脱可能に装着することができ、このときのストッパ４１は、縦リブ４１ａ、４１ａ…を介して径方向に移動不能となっている。
【００２２】
受液ボウル３０は、中間の接続部３１ａを介し、上部の受液部３１と、下部のスカート部３２とが一体に形成されている。接続部３１ａの上部内面には、縦リブ３１ｂ、３１ｂ…が形成されており、縦リブ３１ｂ、３１ｂ…によって形成する内径Ｄ3 は、Ｄ2b＜Ｄ3 ＜Ｄ2aに設定されている。
【００２３】
受液部３１の上縁は、滑らかな曲線状に形成され（図１、図２）、外向きの係合突部３１ｄが全周に形成されている。受液部３１の底部には、上向きの噴射ノズル３３が形成されており、噴射ノズル３３には、軸方向のノズル孔３３ａが形成され、ノズルチップ３３ｂが先端に付設されている。また、受液部３１の下面には、ポンプ２１の操作ロッド２１ｃに適合するソケット部３１ｅが下向きに形成され、ソケット部３１ｅは、噴射ノズル３３のノズル孔３３ａに連通している。受液部３１には、着脱自在のキャップ３４が組み合わされている。キャップ３４は、受液部３１の上縁に適合する形状に形成されており、係合突部３１ｄに係合する内リブ３４ａが下端内面に形成されている。
【００２４】
スカート部３２は、容器本体１０の外径に適合しており、リブ状の滑り止め３２ａ、３２ａ…が外面の周方向に形成されている。スカート部３２の下端には、補強用のリブ３２ｂが形成されている。
【００２５】
受液ボウル３０は、上方に抜き取って補助キャップ２２からストッパ４１を取り外し（図２の右半部）、ソケット部３１ｅに操作ロッド２１ｃを挿入することにより、ソケット部３１ｅを介して操作ロッド２１ｃに連結することができる。このとき、噴射ノズル３３のノズル孔３３ａは、ソケット部３１ｅを介して操作ロッド２１ｃの吐出部２１ｄに連通し、スカート部３２は、容器本体１０の上部を外側からカバーすることができる。
【００２６】
このようにして容器本体１０に組み合わせる受液ボウル３０は、ソケット部３１ｅを介して操作ロッド２１ｃを軸方向に押し下げ、図示しないばねを介して操作ロッド２１ｃが上方に復帰することにより、操作ロッド２１ｃを軸方向に往復駆動してポンプ２１を作動させることができる。なお、このとき、受液ボウル３０、容器本体１０は、一方が他方に対して相対的に往復移動し、受液ボウル３０の接続部３１ａは、縦リブ３１ｂ、３１ｂ…による内径Ｄ3 ＞Ｄ1 に設定されていることにより、縦リブ３１ｂ、３１ｂ…が補助キャップ２２の筒部２２ｂと干渉するおそれがない。
【００２７】
また、受液ボウル３０は、補助キャップ２２にストッパ４１を装着して容器本体１０に組み合わせることができる（図２、図３の各左半部）。このとき、ストッパ４１は、補助キャップ２２の上面と受液ボウル３０の縦リブ３１ｂ、３１ｂ…との間に介装され、ソケット部３１ｅを操作ロッド２１ｃから分離させるとともに、受液ボウル３０によるポンプ２１の作動を阻止することができる。受液ボウル３０の接続部３１ａは、縦リブ３１ｂ、３１ｂ…を介して内径Ｄ3 がＤ2b＜Ｄ3 ＜Ｄ2aに設定され、縦リブ３１ｂ、３１ｂ…がストッパ４１によって支承されるからである。
【００２８】
かかる洗眼容器は、次のようにして使用する。
【００２９】
使用者Ｈは、眼Ｈ1 を洗眼するとき、ストッパ４１を取り外して受液ボウル３０をポンプ２１の操作ロッド２１ｃに連結し、キャップ３４を取り外す（図２の右半部、図４）。そこで、受液ボウル３０の上面を閉じるようにして顔を伏せ、眼Ｈ1 を噴射ノズル３３に対向させた上、一方の手Ｈ2 によってスカート部３２、接続部３１ａを握り、他方の手によって容器本体１０を繰り返し押し上げると（図４の矢印Ｋ方向、二点鎖線）、操作ロッド２１ｃを軸方向に往復駆動してポンプ２１を作動させ、噴射ノズル３３から容器本体１０内の薬液Ｗを噴射させて（同図の矢印Ｋ2 方向）、眼Ｈ1 を洗眼することができる。このとき、洗眼後の薬液Ｗa は、受液ボウル３０の受液部３１に溜まり、眼Ｈ1 に接触するおそれがない。
【００３０】
また、このとき、補助キャップ２２の筒部２２ｂは、受液部３１の下面に当接し、操作ロッド２１ｃのストロークを規制している。一方、受液部３１の上縁は、噴射ノズル３３の先端より十分に高くして噴射ノズル３３と眼Ｈ1 との間に適切な距離を確保するとともに、使用者Ｈの顔面に全周が密着するように、適切な形状に形成するものとする。
【００３１】
洗眼が完了すると、受液部３１内の薬液Ｗa を廃棄し、必要に応じて容器本体１０、受液ボウル３０の間にストッパ４１を介装し（図２の左半部）、キャップ３４を介して受液部３１を閉じればよい。
【００３２】
なお、眼Ｈ1 を洗眼するとき、容器本体１０を押し上げるに代えて、受液ボウル３０を押し下げてポンプ２１を作動させてもよい。また、噴射ノズル３３は、ポンプ２１からの薬液Ｗを噴水状に噴射させてもよく、容器本体１０からの薬液Ｗを旋回させるロッド部材を内装することにより、ノズルチップ３３ｂから霧状に噴射させてもよい。
【００３３】
【他の実施の形態】
容器本体１０には、リブ状の滑り止め１３、１３…を周方向に形成してもよい（図５）。そこで、使用者Ｈは、洗眼するとき、受液ボウル３０を一方の手Ｈ2 によって把持し、他方の手Ｈ2 によって容器本体１０を把持し、容器本体１０、受液ボウル３０を互いに相対移動させてポンプ２１を作動させ、噴射ノズル３３から薬液Ｗを噴射させることができる。
【００３４】
以上の説明において、スカート部３２の滑り止め３２ａ、３２ａ…、容器本体１０の滑り止め１３、１３…は、その一方または双方を省略してもよい。また、ストッパ４１は、補助キャップ２２の筒部２２ｂに装着して容器本体１０、受液ボウル３０の間に介装するに代えて、操作ロッド２１ｃ、ソケット部３１ｅに共通に装着し、補助キャップ２２の上面、受液部３１の下面の間に介装してもよく、受液ボウル３０の接続部３１ａからスカート部３２に至る連続部分と、容器本体１０の口部１２から肩部１１に至る連続部分との間に介装してもよい。さらに、ストッパ４１は、ポンプ２１の作動を阻止する際、受液ボウル３０と操作ロッド２１ｃとの連結を許容する高さに設定してもよい。
【００３５】
【発明の効果】
以上説明したように、この発明によれば、口部にポンプを組み込む容器本体に受液ボウルを組み合わせることによって、受液ボウルは、ポンプの操作ロッドを往復駆動してポンプを作動させ、薬液を噴射ノズルから噴射させて洗眼し、洗眼後の薬液を貯留することができるから、洗眼後の薬液が眼に接触するおそれがなく、清潔な薬液のみによって洗眼し、洗眼効果を大きく向上させることができるという優れた効果がある。
【図面の簡単な説明】
【図１】  全体構成分解斜視図
【図２】  要部縦断面説明図
【図３】  図２のＸ−Ｘ線矢視相当断面説明図
【図４】  使用状態説明図
【図５】  他の実施の形態を示す図４相当図
【符号の説明】
Ｗ、Ｗa …薬液
１０…容器本体
１２…口部
１３…滑り止め
２１…ポンプ
２１ｃ…操作ロッド
２１ｄ…吐出部
３０…受液ボウル
３２…スカート部
３２ａ…滑り止め
３３…噴射ノズル
４１…ストッパ
【図１】
0004331815.tif 000002
【図２】
0004331815.tif 000003
【図３】
0004331815.tif 000004
【図４】
0004331815.tif 000005
【図５】
0004331815.tif 000006